(57)【特許請求の範囲】
【請求項１】
窓枠と、その窓枠の表面にシール材を介して押しつけられる障子体と、その障子体をリフト・ダウンさせるリフト機構と、前記障子体をリフトした位置から窓枠と平行に前進・後退させる走行駆動装置とからなり、前記障子体の後端部に、窓枠に対して走行自在である後部サポートが取付けられており、前記窓枠の前端部に、障子体に対して相対的に走行する前部サポートが取付けられており、前部サポートと後部サポートとが、走行駆動装置による前進操作の初期に前後が同調したリフト動作を行い、かつ、後退操作の最後に前後が同調したダウン動作を行うように構成されている、スライド窓。
【請求項２】
前記窓枠の左右に、前後に延びると共に、後端が後方に向かって斜めに下降する第１ガイドが設けられ、前記障子体の左右に、前後に延びると共に前端が前方に向かって斜めに上昇する第２ガイドが設けられており、前記後部サポートが第１ガイドによって案内され、前部サポートが第２ガイドによって案内されており、かつ、前記走行駆動装置が障子体に連結されている請求項１記載のスライド窓。
【請求項３】
前記第１ガイドおよび（または）第２ガイドがそれぞれ側方に開口するガイド溝であり、前記後部サポートおよび（または）前部サポートが、対応するガイド溝内を転動するローラを有する請求項１記載のスライド窓。
【請求項４】
前記第１ガイドおよび（または）第２ガイドがそれぞれ側方に突出するガイドレールであり、前記後部サポートおよび（または）前部サポートが、対応するガイドレールを上下から挟んで転動する一対のローラを有する請求項１記載のスライド窓。
【請求項５】
前記窓枠の左右に、前記走行駆動装置によりそれぞれ前後方向に往復駆動され、その往復運動によって前記障子体を前進・後退させるガイドバーが設けられており、
それらのガイドバーと障子体との間に前記リフト機構が介在されると共に、
前記障子体と窓枠との間に、障子体がリフトするまで障子体の前進を妨げるストッパ機構が設けられている請求項１記載のスライド窓。
【請求項６】
窓枠と、その窓枠の表面にシール材を介して押しつけられる障子体と、その障子体を窓枠と対応する位置でリフト・ダウンさせるリフト機構と、前記障子体をリフトした位置から窓枠と平行に前進・後退させる走行駆動装置とからなり、前記窓枠の左右に、前記走行駆動装置によりそれぞれ前後方向に往復駆動されるガイドバーが設けられており、前記リフト機構がそのガイドバーを前進・後退させることにより駆動するものであり、障子体と窓枠との間に障子体がリフトするまで障子体の前進を妨げるストッパ機構が設けられており、前記リフト機構が、走行駆動装置による障子体の相対的な前進運動の初期に、障子体をリフトし、走行駆動装置による障子体の相対的な後退運動の最後に、障子体をダウンするように構成されている、スライド窓。
【請求項７】
前記リフト機構が、障子体またはガイドバーのうちいずれか一方に固定されたサポートに形成された傾斜カムと、その傾斜カムによって案内されるガイド要素とからなる請求項５または６記載のスライド窓。
【請求項８】
前記リフト機構が、両端が障子体およびガイドバーにそれぞれ回動自在に連結されたリンクからなる後部サポートおよび前部サポートを有し、それらのリンクが障子体のダウン時に後部に向かって下降するように傾斜している請求項５または６記載のスライド窓。
【請求項９】
前記ストッパ機構が、ストッパローラと、障子体が下降しているときにそのストッパローラと当接して障子体の前進を妨げるストッパ段部とからなる請求項５または６スライド窓。
【発明の詳細な説明】
【０００１】
【産業上の利用分野】
本発明はスライド窓に関する。さらに詳しくは、建物のトップライト（天窓）などとして使用される、閉じたときの密閉効果が高いスライド窓に関する。
【０００２】
【従来の技術】
一般的なスライド式のトップライトは、窓枠と、その窓枠の表面に固定したシール材と、そのシール材を介して窓枠上に押しつけられる障子体とを備えている。このものはそのまま障子体をスライドさせるとシール材が擦れてしまうので、シール材を下側に逃がすか、障子体を上側に浮かしてからスライドさせる必要がある。前者の形式のスライド窓として、たとえばシール材を支持する枠状の部材（シール枠）を窓枠に対して上下方向にスライド自在に設け、障子体が窓の位置に来たときにシール枠を上昇させて密閉し、窓を開けるときはシール枠を下側に退避させるものがある（特開平４−１０２６８０号公報など）。このものは実質的に左右一対のケーブルを引き回すことにより、シール枠の上昇に続いて障子体の前進を行い、障子体の後退に続いてシール枠の下降を行うという一連の動作を１個の駆動源で順次行うようにしている。しかしこのものは、シール枠と障子体の二つのものを別々の方向に移動させ、しかもそれぞれの摺動部でシールをする必要があるので構成がきわめて複雑になる。さらにシール枠は前後左右の幅に比してスライドストロークが短いので、スティックを防ぐため、および均一なシール圧をうるために周囲全体の同調をとるのが好ましいが、その同調機構も複雑になる。
【０００３】
また障子体の後部の左右に比較的短い間隔をあけてネジ式のリフト機構を設け、障子体を窓枠と平行にいわば片持ち支持するタイプのスライド窓も提案されている（実開平２−５１６７６号公報参照）。このものは障子体が片持ち支持の状態でリフト・ダウンするので、運動剛性が低く、動作時、とくにリフト・ダウンのときに振動が大きい問題がある。また片持ち支持の状態でシール材を窓枠に押しつけるので、均一に押しつけることができず、とくに長期間の使用後はシールが不均一になる問題がある。
【０００４】
他方、窓を開けるとき、まず障子体の後部側だけを浮かせ、ついで障子体を斜めの状態に保持したまま前方へスライドさせる、いわゆるチルト式のスライド窓も提案されている（特開昭５７−１１２５８４号、実開平３−３５１７８号、実開平３−６３６８０号の各公報参照）。これらのスライド窓はチルト駆動とスライド駆動とを同一の駆動機構で行いやすい利点があるが、障子体のスライドガイドが屋外に出るので防錆上好ましくない。また障子体がシ−ル材を押し付けるときに不均一なりやすい。さらに前記いずれのスライド窓も、ネジやリンクなどの多くの部品を使用し、複雑であるため、比較的高価になる。
【０００５】
【発明が解決しようとする課題】
本発明は前記従来のスライド窓における難点を解消し、比較的機構が簡単で、障子体の支持の剛性が高く、安定して昇降操作および開閉操作をすることができ、均一なシール作用がえられるスライド窓を提供することを技術課題としている。さらに本発明は前記利点を有しつつ、防錆上の問題が少ないスライド窓を提供すること、および一つの駆動源でリフト・ダウンと往復スライドを行うことができるスライド窓を提供することを課題としている。
【０００６】
【課題を解決するための手段】
窓枠と、その窓枠の表面にシール材を介して押しつけられる障子体と、その障子体をリフト・ダウンさせるリフト機構と、前記障子体をリフトした位置から窓枠と平行に前進・後退させる走行駆動装置とからなり、前記障子体の後端部に、窓枠に対して走行自在である後部サポートが取付けられており、前記窓枠の前端部に、障子体に対して相対的に走行する前部サポートが取付けられており、前部サポートと後部サポートとが、走行駆動装置による前進操作の初期に前後が同調したリフト動作を行い、かつ、後退操作の最後に前後が同調したダウン動作を行うように構成されていることを特徴としている。
【０００７】
かかるスライド窓の構成は、たとえば前記窓枠の左右に、前後に延びると共に、後端が後方に向かって斜めに下降する第１ガイドが設けられ、前記障子体の左右に、前後に延びると共に前端が前方に向かって斜めに上昇する第２ガイドが設けられており、前記後部サポートが第１ガイドによって案内され、前部サポートが第２ガイドによって案内されており、かつ、前記走行駆動装置が障子体に連結されていることによって実現しうる。前記第１ガイドおよび（または）第２ガイドがそれぞれ側方に開口するガイド溝であり、前記後部サポートおよび（または）前部サポートが、対応するガイド溝内を転動するローラをもうけるものが好ましい。また前記第１ガイドおよび（または）第２ガイドがそれぞれ側方に突出するガイドレールであり、前記後部サポートおよび（または）前部サポートが、対応するガイドレールを上下から挟んで転動する一対のローラを設けるものが好ましい。
【０００８】
また本発明のスライド窓の第２の態様においては、窓枠と、その窓枠の表面にシール材を介して押しつけられる障子体と、その障子体を窓枠と対応する位置でリフト・ダウンさせるリフト機構と、前記障子体をリフトした位置から窓枠と平行に前進・後退させる走行駆動装置とからなり、前記窓枠の左右に、前記走行駆動装置によりそれぞれ前後方向に往復駆動されるガイドバーが設けられており、前記リフト機構がそのガイドバーの前進・後退させることにより駆動するものであり、障子体と窓枠との間に障子体がリフトするまで障子体の前進を妨げるストッパ機構が設けられており、前記リフト機構が、走行駆動装置による障子体の相対的な前進運動の初期に、障子体をリフトし、走行駆動装置による障子体の相対的な後退運動の最後に、障子体をダウンするように構成されている。そのようなリフト機構としては、障子体またはガイドバーのうちいずれか一方に固定されたサポートに形成された傾斜カムと、その傾斜カムによって案内されるガイド要素とから構成することができる。また、両端が障子体およびガイドバーにそれぞれ回動自在に連結されたリンクからなる後部サポートおよび前部サポートを有し、それらのリンクが障子体のダウン時に後部に向かって下降するように傾斜させることによっても構成することができる。さらに前記ストッパ機構が、ストッパローラと、障子体が下降しているときにそのストッパローラと当接して障子体の前進を妨げるストッパ段部とから構成することができる。
【０００９】
【作用】
本発明のスライド窓においては、窓が閉じている状態から走行駆動装置が障子体を前進させようとすると、まず窓枠と障子体の間で、それぞれの後端近辺の左右および前端近辺の左右にあるサポートがリフト動作をし、障子体を窓枠と平行にリフトさせる。それによりシールが解除され、空気の流通が確保されると共に、雨の降り込みを防ぐ。そのとき、障子体は前後左右のサポートにより４隅が安定して支持されている。そしてリフト動作の完了後、その平行な状態を維持したまま、障子体を前進させることにより、窓を開放することができる。窓を閉じる場合は、前記と逆に、障子体は平行状態を維持しながら後退し、窓枠に対応する位置でリフト機構により下降し、窓枠のシール材に押しつけられる。そのばあい障子体はサポートによりその４隅が均等にシール材に押しつけられる。
【００１０】
さらに本発明のスライド窓は、後部側のサポートが障子体の後端近辺に取りつけられており、前部側のサポートが窓枠の前端近辺に取りつけられているので、昇降時には障子体をその４隅で安定して支持し、かつシール時には障子体をその４隅で窓枠にしっかりと押しつける。なお障子体が一旦上昇した後は、前後のサポートの間隔がしだいに狭くなりながら前進し、障子体が開ききったときは片持ち状態になるが、それらの運動の間は昇降動作もシール動作も行わないので問題はない。
【００１１】
請求項２のスライド窓では、窓が閉じている状態から走行駆動装置によって窓枠が前進方向に駆動されると、窓枠に設けられる第１ガイドの傾斜部によって障子体の後部サポートが斜め前方に案内され、同時に窓枠の前方の前部サポートによって障子体の第２ガイドが斜め前方に案内される。そのため障子体全体が窓枠と平行な状態を維持しながら斜め前方に引き上げられる。さらに走行駆動装置により障子体が前方に引かれると、障子体は後部サポートが第１ガイドに案内され、第２ガイドが前部サポートで方向付けされながら前方に移動する。窓を閉じるときは前述とは逆の順で閉じる。そして最終的に障子体は第１ガイドの傾斜部および第２ガイドの傾斜部に対応する角度で、その４隅が窓枠に押しつけられることになる。
【００１２】
請求項３および請求項４のスライド窓では、ガイドとサポートとが、ローラとガイド溝ないしガイドレールの係合で案内されるので、摩擦が少なく、動きがスムーズで効率がよい。
【００１３】
本発明のスライド窓の第２の態様では、窓を開く動作の初期にガイドバーが走行駆動装置で前方に引かれるが、障子体はストッパで元の位置に停止している。そのためガイドバーと障子体との間に相対的なずれが生じ、そのずれによりリフト機構が働いて、障子体がその位置で、すなわち前進せずにまっすぐ上昇する。そして上昇が完了してストッパの作用が解除された後、障子体はガイドバーに引かれるようにして前進する。後退する場合は上記の逆の動きとなる。なおリフト機構はカム式でもリンク式でもよいが、シール材を押しつける力についてはリンク式の方が高くすることが可能である。ストッパ機構にストッパロールを用いると動きがスムーズになる。
【００１４】
【実施例】
つぎに図面を参照しながら本発明のスライド窓を説明する。図１は本発明のスライド窓の一実施例を示す一部切り欠き斜視図、図２ａはその作動順序を示す作動線図、図２ｂは図１のＩＩ−ＩＩ  線断面図、  図３は図１のＩＩＩ−ＩＩＩ  線断面図、図４は図３の要部拡大断面図、図５は図４の矢印Ｖから見た要部拡大側面図、図６は本発明に関わるスライド窓における駆動部の一実施例を示す斜視図、図７は本発明に関わるガイドの他の実施例を示す要部断面図、図８は図７のガイドを備えたスライド窓の概略側面図、図９は本発明のスライド窓の他の実施例を示す一部省略斜視図、図１０は図９のスライド窓におけるリフト機構を示す拡大斜視図、図１１は本発明に関わる駆動部の他の実施例を示す要部断面図、図１２は図１１のＸＩＩ−ＸＩＩ  線断面図、図１３は図１１の駆動機構を駆動するモータおよび減速機の部分を示す断面図、図１４および図１５はそれぞれ図１０に示すリフト機構の動作状態を示す部分拡大側面図、図１６は本発明に関わるリフト機構のさらに他の実施例を示す部分斜視図、図１７は本発明に関わるリフト機構のさらに他の実施例を示す部分断面図、図１８および図１９はそれぞれ本発明に関わるリフト機構のさらに他の実施例を示す概略斜視図である。
【００１５】
図１に示すスライド窓Ａは建物の開口部に固定される窓枠１と、その窓枠１に対し、前後左右の板状のサポート２、３で支持される枠状の障子体４とから構成される。障子体４には板ガラス５が嵌め込まれており、窓枠１の表面にはゴム製のシール材６が固定されている。前記サポート２、３のうち、後部側（図面の左手前側）の左右の一対のサポート（以下後部サポートという）２は障子体４の内側面に固定されており、前部側の一対のサポート（前部サポート）３は窓枠１の内側面に固定されている。さらに窓枠１の左右の内側面および障子体４の左右の内側面には、図２ｂに詳細に示すように、それぞれ第１ガイド溝７および第２ガイド溝８が設けられている。そして前記後部サポート２の下端および前部サポート３の上端には、それぞれそれらの第１ガイド溝７および第２ガイド溝８内を転動するように嵌め込まれるローラ９、１０が回転自在に取りつけられている（図３および図４参照）。なお上記の説明で「前」、「後」というのは、障子体４が窓を開けるために前進する方向および閉じるために後退する方向を意味し、建物に対する取りつけ方向とは無関係である。また「右」、「左」というのは後部側から見た場合で示している。
【００１６】
図２ｂに示すように、前記第１ガイド溝７の後端には後方に向かって下降するように傾斜する後カム部１１が設けられており、第２ガイド溝８の前端には前側に向かって上昇するように傾斜する前カム部１２が設けられている。さらに図３に示すように、後部サポート２の下部には、窓枠１の内側面上を転動する横ガイドローラ１３が回転自在に取りつけられており、前部サポート８の上部には障子体４の内側面と当接してガイドする横ガイドローラ１４が回転自在に取りつけられている。なお図３の符号１５、１６は左右の後部サポート２、２の下部に連結された公知のスライド駆動用のギヤードケーブルであり、符号１７、１８はそれらのギヤードケーブル１５、１６を摺動自在に案内するための案内溝である。また符号１７ａ、１８ａはそれらのギヤードケーブル１５、１６の自由端側を摺動自在に収容する案内溝である。
【００１７】
図４および図５は左側の案内溝１７によって案内されるギヤードケーブル１５と後部サポート２との連結状態を示している。なお右側の場合も同じである。案内溝１７はギヤードケーブル１５が摺動する断面円形の孔１９と、その孔の側方から外部と連通するスリット２０とを備えている。後部サポート２の下端には、ピン２１で連結リンク２２が回動自在に連結されており、ギヤードケーブル１５の先端には連結治具２３が固着されている。連結治具２３はスリット２０を通って側方に伸びる枝部２４を有し、その枝部２４に一体に設けられるピン２５に、前記連結リンク２２の下部が回動自在に連結されている。なお案内溝１７、１８の後端側、すなわち図２ｂの後カム部１１と対応する部分は、まっすぐに延びていてもよいが、後カム部１１と同じように後方に向かって下降するようにしてもよい。なお図４にはローラ９がピン２６により後部サポート２に回転自在に取りつけられている状態が詳細に示されている。
【００１８】
図６は前記の左右一対のギヤードケーブル１５、１６の駆動装置Ｂまわりの構成を示している。案内溝１７、１８ａの前端部には、窓枠１の側壁１ａに沿って配索されてきたギヤードケーブル１５、１６の向きを前壁１ｂの方向に変えるためのパイプ２７、２８が連結されており、それらのパイプ２７、２８は長さ調節部材２９を介してそれぞれハウジング３０に連結されている。そのハウジング３０内にはギヤードケーブル１５、１６と噛み合うギヤ３１が回転自在に設けられており、ハウジング３０内に平行に導かれた一対のギヤードケーブル１５、１６はそのギヤ３１の上下の両側とかみ合っている。そしてハウジング３０から出てきたギヤードケーブル１５、１６はさらに交差状に配設される一対のパイプ２７ａ、２８ａにより上下が逆にされた上で、右側の側壁１ｃに沿うように方向を変えられ、左側の場合と同じように窓枠１の右側の案内溝１８、１７ａに導かれる。なお図６の符号Ｍは減速機およびベベルギヤを介して前記ギヤ３１を回転駆動するためのモータであり、符号３２は手動でギヤ３１を往復回転するための駆動軸である。
【００１９】
つぎに上記のごとく構成されるスライド窓Ａの作用を説明する。まず窓が閉じている状態では、図２ｂの実線で示すように、後部のローラ９は後カム部１１の下端に位置しており、前のローラ１０は前カム部１２の上端に位置している。そのため障子体４はもっとも下降しており、ギヤードケーブル１５、１６の押し圧力でシール材（図１の符号６）を介して窓枠１に押しつけられている。この状態から、図６のモータＭの駆動によりギヤ３１が矢印Ｓ１方向に回転すると、左右のギヤードケーブル１５、１６がそれぞれ右および左に駆動される。そのため左右の壁部１ａ、１ｃに沿っている部分は、それぞれ前側に引かれる。したがって図２の後部サポート２も前側（矢印Ｆ）に駆動される。その駆動力により、後部のローラ９は後カム部１１の傾斜面を昇ると共に、障子体４の前側は、前カム部１２が前のローラ１０で案内されることにより、その前カム部１２の方向に上昇していく。したがって障子体４の全体は図２ａに示す矢印Ｆ１のように窓枠１との平衡状態を維持しながら上昇し、矢印Ｆ２のごとく前進する。それによりシール作用が解除される（図２ｂの想像線Ｐ１）。
【００２０】
引き続いて左右のギヤードケーブル１５、１６が前方に駆動されると、前のローラ９は窓枠１の第１ガイド溝７に案内されてその中を前方へ転動し、障子体４の前側は第２ガイド溝８が前のローラ１０によって案内されながら前進する（図２ａの矢印Ｆ２）。そして後のローラ９が第１ガイド溝７の前端に当接し、第２ガイド溝８の後端が前のローラ１０に当接したときが窓の全開の状態である（想像線Ｐ２）。また前進するにつれてハウジング３０から出ていくギヤードケーブル１５、１６は反対側の壁部に設けられている案内溝１７ａ、１８ｂに収容されていく。なお窓が開いていくにしたがって後部サポート２は前部サポート３に近づいていき、しだいに片持ち支持の状態になっていくが、単なるスライド移動であるため、振動が生じたり不安定な状態になったりすることはない。
【００２１】
窓を閉じる場合は前述と逆の順に進行する。すなわちモータＭが矢印Ｓ２方向に回転すると、左右のギヤードケーブル１５、１６は後方に押され、それにより障子体４は窓を閉じていく。そしてそれぞれのローラ９、１０が前および後のカム部１１、１２にかかると、障子体４は下降しながら後退し、最終的にシール材を押圧する。
【００２２】
以上のように図１などのスライド窓Ａは、障子体４に固定した後部サポート２が窓枠１によって前後に案内され、窓枠１に固定した前部サポート３が障子体４の前部を前後に案内するので、障子体４が窓枠１と対応する位置でリフト・ダウンするとき、サポート２、３が障子体４の４隅を支持しながらリフト・ダウンする。そのため振動が少なく、耐久性が高く、しかもシール材６を均一に、かつ、しっかりと押えられる利点がある。また前記実施例では、障子体４のリフト・ダウンは、ローラ９、１０とカム部１１、１２との係合からなるカム機構により前後方向の運動を上下方向の運動に変換することにより行なっているので、ギヤードケーブル１５、１６およびその駆動装置Ｂを有する同一の駆動源で逐次的に操作することができる。そのため駆動源を別にする場合のような電気的ないしメカ的なインターロックをとる必要がなく、機構がシンプルである。
【００２３】
上記実施例では、ローラ９、１０と第１ガイド溝７および第２ガイド溝８により障子体４の前後の動きを案内し、かつその一部で上下操作を行なうカム機構を構成しているが、図７および図８に示すように、第１ガイド溝７および第２ガイド溝８に代えて、それぞれ側方（内側）に突出する第１ガイドレール３５および第２ガイドレール３６でガイドを構成してもよい。その場合はローラとして、それらのガイドレール３５、３６を上下からはさむ一対のローラ対３７、３８を用いるのが好ましい。なお図７における符号３９は摺動摩擦を少なくするためのライナであり、図８の符号４０はストッパである。
【００２４】
また上記実施例では、カム機構により前後方向の運動を上下の運動に変換しているが、たとえば後述するリンク機構（図１５、１６参照）やＸアームないしパンタグラフのようなリンク機構など、他の機構を採用してもよい。さらに前後左右のサポート２、３内に、前後方向の駆動源と同一または別個の駆動源で互いに同調して作動する同じようなリンク機構などからなるリフト機構を内蔵させれば、後部サポート２と窓枠１、および前部サポート３と障子体４とのガイドは、ローラを用いないスライドガイド装置、たとえばロッドとスライドブッシュなどにより行わせることができる。
【００２５】
図９に示すスライド窓Ａ２は、前述の実施例とは異なり、窓枠１に対して前後方向に移動自在に設けたガイドバー４１と、障子体４の４隅に下向きに突出させたカム板４２、４３との間の相対運動に基づくカム機構で障子体４をリフト・ダウンさせるものである。すなわち図１０に詳細に示すように、ガイドバー４１はローラ４４により窓枠１のガイド面１ｄ上に移動自在に設けられており、前後端部に上向きにサポート２、３を固定している。サポート２、３の上端にはローラ９、１０が回転自在に取りつけられており、それらのローラはカム板４２、４３に形成したカム溝４５と係合している。さらに後部のカム板４２の後端は下方に伸ばされ、その下端にストッパローラ４６が回転自在に取りつけられている。そして窓枠１のストッパローラ４６と対応する部分には、ストッパローラ４６が上昇しない限り前進できないような壁部ないしストッパ段部４７が形成されている。さらにストッパローラ４６の後部には図１１に示す後端ストッパ４７ａが設けられている。
【００２６】
さらに本実施例では、走行駆動装置として、図１１および図１２に示すように、ガイドバー４１の下面に固定したラック４８と、そのラックと噛み合うように、窓枠１内に回転自在に設けられたギヤ４９と、そのギヤを回転駆動する軸５０とを備えている。その軸５０は、たとえば図１３に示す遊星歯車減速機の一種であるハイポサイクロ減速機５１などの逆転させにくい減速機、さらに平歯車列からなる減速機５２、５３を介してモータＭに連結されている。なお平歯車列からなる減速機とハイポサイクロ減速機５１とを連結する出力軸５４には、ベベルギヤ５５、５６を介して手動操作用の駆動軸５７が連結されている。
【００２７】
上記のように構成されるスライド窓Ａ２において、図１３のモータＭが回転すると、軸５０を介して図１１のギヤ４９が回転し、ラック４８およびそれに固定したガイドバー４１を前後に駆動する。そして窓が閉まっている状態からガイドバー４１が前進すると、図１４および図１５に示すように、ローラ９がカム溝４５の上面を前方に押す。そのときストッパローラ４６がストッパ段部４７に当接しているので、障子体４は前進せず、ローラ９とカム溝４５との係合により、その場で上昇する。そして図１５のように障子体４が上昇しきったとき、はじめてストッパローラ４６が窓枠１のガイド面１ｄに乗り上げる。さらにガイドバー４１を前進させると、ローラ９がカム溝４５の前端と係合して、障子体４を前進させる。なお障子体４の前側ではストッパローラがないが、図９のローラ１０とカム溝４５との係合により、上昇位置に保持されているので、障子体４の窓枠１に対する平行は確保されている。
【００２８】
窓を閉じる場合は前述と逆に、ガイドバー４１が後退するとローラ９がカム溝４５の下面を後方に押し、障子体４を後退させる。なおストッパローラ４６がガイド面１ｄで支持されていること、および前後のローラ９、１０がガイドバー４１で連結されていることから、前後のローラ９、１０はそれぞれカム溝４５の前端の位置を維持したままカム板４２、４３を後方に押すことができる。そしてストッパローラ４６がストッパ段部４７内に達し、後端ストッパ４７ａに当接したとき、ローラ９の後方に押す力がカム溝４５の傾斜面により障子体４を下降させる力に変換され、障子体４がシール材に強く押しつけられる。
【００２９】
上記スライド窓Ａ２においてはローラ９をカム溝４５内で転動させているが、ローラ９に代えて、単なる軸ないしロッドあるいはスライドブッシュなどの各種のガイド要素を採用することができる。またローラ９などをカム溝４５の傾斜面にスライドさせて前後方向の運動を上下方向の運動に変換しているが、図１６に示すスライド窓Ａ３のように、障子体４とガイドバー４１との間に設けた平行リンク５８、５９により変換するようにしてもよい。なお下降状態では、平行リンク５８、５９はガイドバー４１との連結側、すなわち下端側が後方にずれるように傾斜させておく。それによりガイドバー４１が前進すると、障子体４はストッパローラ４６で前進が阻まれているので、平行リンク５８、５９が障子体４との連結部６０を回転中心として矢印Ｎ方向に回動し、障子体４が上昇する。その他の作用は前述の図９のスライド窓Ａ２と同じである。
【００３０】
図１７は前記スライド窓Ａ３において、ストッパローラ４６が転動する窓枠１上のガイド面６１とガイドバー４１を支持するローラ４２が転動するガイド面１ｄとが異なる場合を示している。なおこのような構成は図９のスライド窓Ａ２においても採用しうる。
【００３１】
図１８は図９のリフト機構の変形例であり、後部側は図９のスライド窓Ａ２と同じカム機構を採用し、前部側はそのカム機構を上下逆に設けている。すなわち後部側では短いガイドバー４１に設けたローラ９、９とカム板４２に設けたカム溝４５とを係合させ、さらにストッパローラ４６とストッパ段部４７とを係合させており、それにより前後方向の運動を上下方向に変換している。そして前部側では短いガイドバー４１ａを障子体４の側にスライド自在に設け、そのガイドバー４１ａに設けたローラ１０、１０とカム溝４５ａ、４５ａとの係合により前後運動を上下運動に変換している。なお前部側のガイドバー４１ａは、窓を開く初期、すなわち障子体４が上昇する間は後部側のガイドバー４１と逆方向（矢印Ｑ）に同調して動き、上昇が完了するとローラ９ａ、１０ａとカム溝４５との係合でそれ以上後退しないように、たとえば作動歯車など（図示されていない）を介して前部のガイドバー４１と連結されている。このものは図１のスライド窓Ａと同じように、窓が開くにしたがって前後のサポート２、３間の距離が狭くなるが、ガイドバー４１ａが窓枠１から前方へ突出しない利点がある。なお前部側のカム溝４５ａ、４５ａの傾斜方向を逆にし、窓を開ける初期に前後のガイドバー４１、４１ａを同じ方向に動かすようにしてもよい。
【００３２】
図１９は図１６のリフト機構に対し、図１８と同様の変形を行なった例を示している。したがって対応する符号を付して詳細な説明を省略する。なお後部の平行リンク５８および前部の平行リンク５９をそれぞれ２個ずつにしてもよい。またこのものにおいても、前部の平行リンク５９の向きを逆にし、窓を開ける初期に前後のガイドバー４１、４１ａを同方向に動かすようにしてもよい。
【００３３】
【発明の効果】
本発明のスライド窓は、障子体の４隅を支持しながら障子体を窓枠に対して平行に保ちつつ強制的にリフト・ダウンさせるので、振動などが少ない安定した動作を行なうことができる。しかも障子体をシール材を介して窓枠に均一に押し付けるので、シールが確実であり、また耐久性が高い。さらに簡単な構成で障子体のリフトダウンと前後のスライド動作とを、同一の駆動源で一連の動きで行なわせることができる。
【図面の簡単な説明】
【図１】本発明のスライド窓の一実施例を示す一部切り欠き斜視図である。
【図２】図２ａは図１のスライド窓の作動順序を示す作動線図であり、図２ｂは図１のＩＩ−ＩＩ  線断面図である。
【図３】図１のＩＩＩ−ＩＩＩ  線断面図である。
【図４】図３の機構の要部拡大断面図である。
【図５】図４の矢印Ｖから見た要部拡大側面図である。
【図６】本発明に関わるスライド窓における駆動部の一実施例を示す斜視図である。
【図７】本発明に関わるガイドの他の実施例を示す要部断面図である。
【図８】図７のガイドを備えたスライド窓の概略側面図である。
【図９】本発明のスライド窓の他の実施例を示す一部省略斜視図である。
【図１０】図９のスライド窓におけるリフト機構を示す拡大斜視図である。
【図１１】本発明に関わる駆動部の他の実施例を示す要部断面図である。
【図１２】図１１のＸＩＩ−ＸＩＩ  線断面図である。
【図１３】図１１の駆動機構を駆動するモータおよび減速機の部分を示す要部断面図である。
【図１４】図１０に示すリフト機構の動作状態を示す部分拡大側面図である。
【図１５】図１０に示すリフト機構の動作状態を示す部分拡大側面図である。
【図１６】本発明に関わるリフト機構のさらに他の実施例を示す部分斜視図である。
【図１７】本発明に関わるリフト機構のさらに他の実施例を示す部分断面図である。
【図１８】本発明に関わるリフト機構のさらに他の実施例を示す概略斜視図である。
【図１９】本発明に関わるリフト機構のさらに他の実施例を示す概略斜視図である。
【符号の説明】
Ａ  スライド窓
１  窓枠
２  後部サポート
３  前部サポート
４  障子体
６  シール材
７  第１ガイド溝
８  第２ガイド溝
９  ローラ
１０  ローラ
１１  後カム部
１２  前カム部
Ｂ  駆動装置
３５  第１ガイドレール
３６  第２ガイドレール
３７  ローラ
３８  ローラ
Ａ２  スライド窓
４１  ガイドバー
４５  カム溝
４６  ストッパローラ
４７  ストッパ段部
Ａ３  スライド窓
５８  平行リンク
５９  平行リンク
【図１】
0003579079.tif 000002
【図２】
0003579079.tif 000003
【図３】
0003579079.tif 000004
【図４】
0003579079.tif 000005
【図５】
0003579079.tif 000006
【図６】
0003579079.tif 000007
【図７】
0003579079.tif 000008
【図８】
0003579079.tif 000009
【図９】
0003579079.tif 000010
【図１０】
0003579079.tif 000011
【図１１】
0003579079.tif 000012
【図１２】
0003579079.tif 000013
【図１３】
0003579079.tif 000014
【図１４】
0003579079.tif 000015
【図１５】
0003579079.tif 000016
【図１６】
0003579079.tif 000017
【図１７】
0003579079.tif 000018
【図１８】
0003579079.tif 000019
【図１９】
0003579079.tif 000020